(57)【要約】【課題】ティーポットなどの成分抽出容器を使用する必要がなく、注ぐお湯の勢いで容器本体部２内にティーバッグｔの下げ紐ｓおよび把持片ｈが入ってしまうこともない取手付きカップ１を提供する。【解決手段】本発明の取手付きカップ１は、容器本体部２と、容器本体部２の外側面３に設けられた取手４とを有した取手付きカップであって、取手付きカップ１の取手４は、ティーバッグｔの把持片ｈおよび下げ紐ｓを挿通可能な挿通部５を有している。【選択図】図３
2019187699.tif 000002
【特許請求の範囲】
【請求項１】
容器本体部と、該容器本体部の外側面に設けられた取手とを有した取手付きカップであって、該取手付きカップの前記取手は、ティーバッグの把持片および下げ紐を挿通可能な挿通部を有していることを特徴とする取手付きカップ。
【請求項２】
前記挿通部は、長溝である請求項１に記載の取手付きカップ。
【請求項３】
前記長溝には、前記ティーバッグの前記把持片を挿通するための挿通穴が設けられている請求項２に記載の取手付きカップ。
【請求項４】
前記挿通部の上部には，前記ティーバッグの前記下げ紐を切断するための鋭利部が設けられている請求項１ないし３のいずれかに記載の取手付きカップ。
【請求項５】
前記取手付きカップの前記取手は、並設された第１取手部と第２取手部とを有し、前記挿通部は、前記第１取手部と前記第２取手部との間隙にて構成されている請求項１に記載の取手付きカップ。
【発明の詳細な説明】
【技術分野】
【０００１】
本発明は、ティーカップまたはマグカップなどの取手付きカップに関するものである。
【背景技術】
【０００２】
従来より、例えば紅茶、日本茶、コーヒーなどのティーバッグから茶・豆等の成分を抽出する場合、ティーポット内にティーバッグを入れてお湯を注ぎ、茶・豆等の成分を抽出したり、ティーカップまたはマグカップ（実用新案登録第３１９７４９３号公報）などの飲用容器に直接、ティーバッグを入れてお湯を注いで抽出している。
【０００３】
しかし、ティーポットやティーカップまたはマグカップなどの容器に、ティーバッグを入れてお湯を注ぐ際、注ぐお湯の勢いで容器内にティーバッグの下げ紐および把持片（紙片等）が入ってしまい、高温のためティーバッグ、下げ紐または把持片の取り出しが煩雑となることがあった。
【先行技術文献】
【特許文献】
【０００４】
【特許文献１】実用新案登録第３１９７４９３号公報
【発明の概要】
【発明が解決しようとする課題】
【０００５】
そこで、本発明の課題は、ティーポットなどの成分抽出容器を使用する必要がなく、注ぐお湯の勢いで容器内にティーバッグの下げ紐および把持片が入ってしまうこともない取手付きカップを提供することにある。
【課題を解決するための手段】
【０００６】
上記課題を解決するものは、容器本体部と、該容器本体部の外側面に設けられた取手とを有した取手付きカップであって、該取手付きカップの前記取手は、ティーバッグの把持片および下げ紐を挿通可能な挿通部を有していることを特徴とする取手付きカップである（請求項１）。
【０００７】
前記挿通部は、長溝であることが好ましい（請求項２）。前記長溝には、前記ティーバッグの前記把持片を挿通するための把持片挿通穴が設けられていることか好ましい（請求項３）。前記挿通部の上部には前記ティーバッグの前記下げ紐を切断するための鋭利部が設けられていることが好ましい（請求項４）。前記取手付きカップの前記取手は、並設された第１取手部と第２取手部とを有し、前記挿通部は、前記第１取手部と前記第２取手部との間隙にて構成されていてもよい（請求項５）。
【発明の効果】
【０００８】
請求項１に記載した取手付きカップによれば、ティーポットなどの成分抽出容器を使用する必要がなく、注ぐお湯の勢いで容器内にティーバッグの下げ紐および把持片が入ってしまうこともない。
請求項２に記載した取手付きカップによれば、上記請求項１の効果に加え、把持片および下げ紐をより挿通容易な挿通部を形成できる。
請求項３に記載した取手付きカップによれば、上記請求項１の効果に加え、ホッチキスで下げ紐に取り付けられた把持片を、把持片挿入穴により容易に挿通することができる。
請求項４に記載した取手付きカップによれば、上記請求項１の効果に加え、下げ紐をより容易に切断することができる。
請求項５に記載した取手付きカップによれば、上記請求項１の効果に加え、長溝を形成する必要がなく、より容易に挿通部を形成できる。
【図面の簡単な説明】
【０００９】
【図１】本発明の取手付きカップの一実施例の斜視図である。
【図２】図１に示した取手付きカップにおいて取手側を正面として視た正面図である。
【図３】図１に示した取手付きカップの使用方法を説明するための斜視図である。
【図４】ティーバッグの構成を説明するための正面図である。
【図５】本発明の取手付きカップ他の実施例の斜視図である。
【図６】本発明の取手付きカップの他の実施例において取手側を正面として視た正面図である。
【図７】本発明の取手付きカップの他の実施例において取手側を正面として視た正面図である。
【図８】本発明の取手付きカップの他の実施例において取手側を正面として視た正面図である。
【図９】本発明の取手付きカップの他の実施例において取手側を正面として視た正面図である。
【発明を実施するための形態】
【００１０】
本発明では、取手付きカップ１の取手４が、ティーバッグｔの把持片ｈおよび下げ紐ｓを挿通可能な挿通部５を有していることで、ティーポットなどの成分抽出用容器を使用する必要がなく、注ぐお湯の勢いで容器内にティーバッグｔの下げ紐ｓおよび把持片ｈが入ってしまうこともない取手付きカップ取手付きカップ１を実現した。
【実施例１】
【００１１】
本発明の取手付きカップを図１ないし図４に示した一実施例を用いて説明する。
この実施例の取手付きカップ１は、容器本体部２と、容器本体部２の外側面３に設けられた取手４とを有した取手付きカップ（マグカップ）であって、取手付きカップ１の取手４は、ティーバッグｔの把持片ｈおよび下げ紐ｓを挿通可能な挿通部５を有している。以下、各構成について順次詳述する。
【００１２】
容器本体部２は、内部に例えば茶・豆等の抽出液を貯留するためのものであり、有底筒状体にて形成され上部に開口２ａを有している。この実施例の容器本体部２は樹脂材料にて形成されており、上方に向かって徐々に拡径した有底筒状体に構成されている。ただし、容器本体部の形成材料は樹脂材料に限定されるものではなく、例えば金属材料、木製材料、陶磁器製材料または紙質材料であってもよい。
【００１３】
取手４は、取手付きカップ１を把持するためのものであり、容器本体部２の外側面３に設けられている。この実施例の取手４は、容器本体部２の外側面３において高さ方向に沿って一体成形された略Ｃ型形状の突起部にて構成されている。
【００１４】
そして、本発明の取手付きカップ１の取手４は、図３に示すように、ティーバッグｔの把持片ｈおよび下げ紐ｓを挿通可能な挿通部５を有している。本発明の取手付きカップ１は、取手４がこのような挿通部５を有しているため、注ぐお湯の勢いで容器本体部２内にティーバッグｔの下げ紐ｓおよび把持片ｈが入ってしまうことが抑止される。
【００１５】
具体的には、この実施例の挿通部５は、取手４の長さ方向に沿って延在する長溝にて構成されており、容器本体部２内にティーバッグｔを配した後、把持片ｈおよび下げ紐ｓをこの長溝（挿通部）５に挿通させた状態でお湯を容器本体部２内に注ぐことにより、把持片ｈや紐ｓが長溝（挿通部）５に係止されて、容器本体部２内に下げ紐ｓおよび把持片ｈが入ってしまうことが抑止される。
【００１６】
また、この実施例の長溝５の中央部付近には、図２に示すように、ティーバッグｔの把持片ｈを挿通するための把持片挿通穴６が設けられている。この把持片挿通穴６は、図４に示すように、下げ紐ｓが把持片ｈにホッチキスｐで止められていることが多く、このホッチキスｐを有した把持片ｈを長溝（挿通部）５に挿通させづらいことから、この実施例は長溝５の間隙をより大きくするための略楕円状の把持片挿通穴６が設けられている。これにより、ホッチキスｐで下げ紐ｓに取り付けられた把持片ｈを、把持片挿入穴６より容易に挿通させることができる。
【００１７】
なお、この実施例の挿通部５は長溝にて構成されているが、これに限定されるものではなく、ティーバッグｔの把持片ｈおよび下げ紐ｓを挿通可能なものであればどのようなものもよく、例えば円形、楕円形、三角形その他の多角形などでもよい。ただし、長い下げ紐ｓを挿通させやすいことから取手４の高さ方向に沿って延在する長溝がより好ましい。
【００１８】
つぎに、本発明の取手付きカップ１の使用方法について説明する。
取手付きカップ１を使用するには、まず、取手付きカップ１の容器本体２内に開口２ａからティーバッグｔを挿入し、把持片ｈと下げ紐Ｓの一部を外方に配する。つぎに、外方の下げ紐Ｓを長溝５に沿って挿通させると共に、ホッチキスｐを備えた把持片ｈは略楕円状の把持片挿通穴６から挿通させる（図３の状態）。この状態でお湯を容器本体部２内に注ぐことにより、ティーバッグｔから抽出成分がお湯の中に浸透して紅茶等が形成される。この時、把持片ｈや紐ｓの一部は長溝（挿通部）５に係止されているため、容器本体部２内に下げ紐ｓおよび把持片ｈが入ってしまうことが抑止される。ティーバッグｔからの成分抽出が終了したら、長溝（挿通部）５にて下げ紐ｓを切断して、切断された下げ紐ｓを把持してティーバッグｔを容器本体２の開口２ａから取り出す。他方、把持片ｈも長溝（挿通部）５付近から除去する。
【００１９】
さらに、図５に示した本発明の他の実施例である取手付きカップ１０について説明する。
この実施例の取手付きカップ１０は、容器本体部１２と、容器本体部１２の外側面１３に設けられた取手１４とを有した取手付きカップであって、取手付きカップ１０の取手１４は、ティーバッグｔの把持片ｈおよび下げ紐ｓを挿通可能な長溝１５を有している。
【００２０】
この実施例の取手付きカップ１０と前述した取手付きカップ１との基本的相違点は、取手付きカップ１０の容器本体部１２と取手１４がステンレス（金属）にて形成されている点、容器本体部１２の形状、取手１４がホッチキスｐを備えた把持片ｈを挿通し易くするための略楕円状の把持片挿通穴を有していない点であり他は同様である。
【００２１】
さらに、図６に示した本発明の他の実施例である取手付きカップ２０について説明する。
この実施例の取手付きカップ２０は、容器本体部２２と、容器本体部２２の外側面２３に設けられた取手２４とを有した取手付きカップであって、取手２４は並設された第１取手部２４ａと第２取手部２４ｂとを有し、ティーバッグｔの把持片ｈおよび下げ紐ｓを挿通可能な挿通部２５は、第１取手部２４ａと第２取手部２４ｂとの間隙にて構成されている。
【００２２】
この実施例の取手付きカップ２０と前述した取手付きカップ１との基本的相違点は、取手２４が並設された複数の取手部（この実施例では第１取手部２４ａと第２取手部２４ｂ）にて形成されている点  、挿通部の形態、容器本体部２２の形状、取手２４がホッチキスｐを備えた把持片ｈを挿通し易くするための略楕円状の把持片挿通穴を有していない点であり他は同様である。
【００２３】
具体的には、この実施例の取手２４は、高さ方向に沿って並設された２本の略Ｃ型取手部（第１取手部２４ａと第２取手部２４ｂ）にて形成されており、これにより、挿通部として取手に長溝を形成する必要がなく、より容易に挿通部を形成できる。すなわち、この実施例の挿通部２５は、第１取手部２４ａと第２取手部２４ｂとの間隙にて構成されている。
【００２４】
また、この実施例の容器本体部２２は、有底円筒部２２ａと、有底円筒部２２ａの上部に設けられ上方に向かって徐々に縮径した縮径部２２ｂと、縮径部２２ｂの上部に設けられ上端開口２２ｄを備えた開口周縁部２２ｃとから構成されている。容器本体部２２が縮径部２２ｂを有することにより、成分抽出時に取手付きカップ２０を取手２４を把持して揺動しても、上端開口２２ｄから抽出液体が飛散することをより抑制できる。
【００２５】
さらに、図７に示した本発明の他の実施例である取手付きカップ３０について説明する。
この実施例の取手付きカップ３０は、容器本体部３２と、容器本体部３２の外側面３３に設けられた取手３４とを有した取手付きカップであって、取手付きカップ３０の取手３４は、ティーバッグｔの把持片ｈおよび下げ紐ｓを挿通可能な長溝３５を有している。
【００２６】
この実施例の取手付きカップ３０と前述した取手付きカップ１との基本的相違点は、取手付きカップ３０の容器本体部３２の形状と、取手３４がホッチキスｐを備えた把持片ｈを挿通し易くするための略楕円状の把持片挿通穴を有していない点であり他は同様である。
【００２７】
具体的には、この実施例の容器本体部３２は、上方に向かって徐々に縮径すると共に湾曲する外側面を有する有底縮径部３２ａと、有底縮径部３２ａの上部に設けられ高さ方向の中間付近が最も拡径すると共に湾曲する外側面を有した上部湾曲部３２ｂと、上部湾曲部３２ｂの上部に設けられ上端開口３２ｄを備えた開口周縁部３２ｃとから構成されている。容器本体部３２が有底縮径部３２ａおよび上部湾曲部３２ｂを有することにより、成分抽出時に取手付きカップ３０を取手３４を把持して揺動しても、上端開口３２ｄから抽出液体が飛散することをより抑制できる。
【００２８】
さらに、図８に示した本発明の他の実施例である取手付きカップ４０について説明する。
この実施例の取手付きカップ４０は、容器本体部４２と、容器本体部４２の外側面４３に設けられた取手４４とを有した取手付きカップであって、取手付きカップ４０の取手４４は、ティーバッグｔの把持片ｈおよび下げ紐ｓを挿通可能な挿通部４５を有している。
【００２９】
この実施例の取手付きカップ４０と前述した取手付きカップ１との基本的相違点は、取手付きカップ４０の取手４４の挿通部４５が上部にティーバッグｔの下げ紐ｓを切断するための鋭利部４５ａを有している点と容器本体部４２の形状であり他は同様である。
【００３０】
具体的には、この実施例の挿通部４５は正面視雫（しずく）状に形成されており最上部がティーバッグｔの下げ紐ｓを切断するための鋭利部４５ａに形成されている。そして、成分抽出後、下げ紐ｓを切断する場合は、下げ紐ｓを持ち上げて鋭利部４５ａにて容易に切断可能に構成されている。
【００３１】
また、この実施例の容器本体部４２は、上方に向かって徐々に縮径すると共に湾曲する外側面を有する有底縮径部４２ａと、有底縮径部４２ａの上部に設けられ高さ方向の中間付近が最も拡径すると共に湾曲する外側面を有した湾曲部４２ｂと、湾曲部４２ｂの上部に設けられ上端開口４２ｄを備えた開口周縁部４２ｃとから構成されている。容器本体部４２が湾曲部４２ｂを有することにより、成分抽出時に取手付きカップ４０を取手４４を把持して揺動しても、上端開口４２ｄから抽出液体が飛散することをより抑制できる。
【００３２】
さらに、図９に示した本発明の他の実施例である取手付きカップ５０について説明する。
この実施例の取手付きカップ５０は、容器本体部５２と、容器本体部５２の外側面５３に設けられた取手５４とを有した取手付きカップであって、取手付きカップ５０の取手５４は、ティーバッグｔの把持片ｈおよび下げ紐ｓを挿通可能な挿通部５５を有している。
【００３３】
この実施例の取手付きカップ５０と前述した取手付きカップ１との基本的相違点は、挿通部５５がハート型に形成されている点、容器本体部５２の形状、取手４４の形状であり他は同様である。
【００３４】
具体的には、この実施例の容器本体部５２は、上方に向かって徐々に縮径すると共に湾曲する外側面を有する有底縮径部５２ａと、有底縮径部５２ａの上部に設けられ上端開口５４ｃを備えた開口周縁部５２ｂとから構成されている。容器本体部５２が有底縮径部５２ａを有することにより、成分抽出時に取手付きカップ５０を取手５４を把持して揺動しても、上端開口５２ｃから抽出液体が飛散することをより抑制できる。また、取手４４は下部に下方に向かって徐々に幅が狭くなる幅狭部５４ａを有している。
【符号の説明】
【００３５】
１      取手付きカップ
２      容器本体部
３      容器本体部の外側面
４      取手
５      挿通部（長溝）
６      把持片挿通穴
ｔ      ティーバッグ
ｈ      把持片
ｓ      下げ紐
ｐ      ホッチキス
【図１】
2019187699.tif 000003
【図２】
2019187699.tif 000004
【図３】
2019187699.tif 000005
【図４】
2019187699.tif 000006
【図５】
2019187699.tif 000007
【図６】
2019187699.tif 000008
【図７】
2019187699.tif 000009
【図８】
2019187699.tif 000010
【図９】
2019187699.tif 000011